(57)【特許請求の範囲】
【請求項１】
ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たすとともに、
前記高摩擦フェース面の摩擦係数を、０．３５以上としたことを特徴とするアイアンゴルフクラブセット。
0003734208.tif 000010
【請求項２】
ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たし、
0003734208.tif 000011
しかも前記アイアンゴルフクラブセットは、クラブヘッドのフェース面に複数本の溝を具えるゴルフクラブからなり、前記溝が以下の４つの条件ａ１、ａ２、ａ３、ａ４の条件を満たすとともに、
前記高摩擦フェース面のゴルフクラブにおいて、前記溝の溝深さＤを０．４〜０．５mm、溝幅Ｗを０．７〜０．９mm、溝４の間隔Ｋを２．１〜３．５mm、溝壁角度θを９０〜１２０度、
最も高番手および低番手のゴルフクラブのフェース面の溝は、高摩擦フェース面のゴルフクラブに形成した前記溝４を基準とすると、溝深さ、溝幅Ｗがともに８０％以下、溝壁角度θ、溝の間隔Ｋがともに１２０％以上としたことを特徴とするアイアンゴルフクラブセット。
ａ１）ｉ番目（ｉ＝１〜ｑ）のクラブヘッドの溝深さをＤｉとするとき
Ｄ１＜Ｄｍ  かつ
Ｄｍ＞Ｄｑ  かつ
ｉ＝１とｉ＝ｍ（又はｍ１）との間では  Ｄｉ≦Ｄ（ｉ＋１）  かつ
ｉ＝ｍ（又はｍ２）とｉ＝ｑとの間では  Ｄｉ≧Ｄ（ｉ＋１）
ａ２）ｉ番目（ｉ＝１〜ｑ）のクラブヘッドの溝幅をＷｉとするとき
Ｗ１＜Ｗｍ  かつ
Ｗｍ＞Ｗｑ  かつ
ｉ＝１とｉ＝ｍ（又はｍ１）との間では  Ｗｉ≦Ｗ（ｉ＋１）  かつ
ｉ＝ｍ（又はｍ２）とｉ＝ｑとの間では  Ｗｉ≧Ｗ（ｉ＋１）
ａ３）ｉ番目（ｉ＝１〜ｑ）のクラブヘッドの溝と溝との間の間隔をＫｉとするとき
Ｋ１＞Ｋｍ  かつ
Ｋｍ＜Ｋｑ  かつ
ｉ＝１とｉ＝ｍ（又はｍ１）との間では  Ｋｉ≧Ｋ（ｉ＋１）  かつ
ｉ＝ｍ（又はｍ２）とｉ＝ｑとの間では  Ｋｉ≦Ｋ（ｉ＋１）
ａ４）ｉ番目（ｉ＝１〜ｑ）のクラブヘッドのフエース面と溝の溝壁とが挟む角度をθｉとするとき
θ１＞θｍ  かつ
θｍ＜θｑ  かつ
ｉ＝１とｉ＝ｍ（又はｍ１）との間では  θｉ≧θ（ｉ＋１）  かつ
ｉ＝ｍ（又はｍ２）とｉ＝ｑとの間では  θｉ≦θ（ｉ＋１）
【請求項３】
ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たすとともに、
0003734208.tif 000012
前記アイアンゴルフクラブセットは、クラブヘッドのフェース面に複数個のパンチマークを具えるゴルフクラブからなり、
しかも前記パンチマークが以下の３つの条件ｂ１、ｂ２、ｂ３の条件を満たすとともに、
しかも高摩擦フェース面のゴルフクラブにおいて、フェース面３に設けられるパンチマーク５の深さｄを０．５〜１．０mm、パンチマークの面積Ｓを、２．０〜２．８mm2 、隣り合うパンチマークの間隔ｋを、４．３〜６．０mmとするとともに、
最も高番手および低番手のゴルフクラブに形成されるパンチマークは、前記高摩擦フェース面のゴルフクラブに形成したパンチマークを基準とすると、その深さｄ、面積Ｓがともに８０％以下、パンチマークの間隔Ｋを１２０％以上としたことを特徴とするアイアンゴルフクラブセット。
ｂ１）ｉ番目（ｉ＝１〜ｑ）のクラブヘッドのパンチマークの深さをｄｉとするとき
ｄ１＜ｄｍ  かつ
ｄｍ＞ｄｑ  かつ
ｉ＝１とｉ＝ｍ（又はｍ１）との間では  ｄｉ≦ｄ（ｉ＋１）  かつ
ｉ＝ｍ（又はｍ２）とｉ＝ｑとの間では  ｄｉ≧ｄ（ｉ＋１）
ｂ２）ｉ番目（ｉ＝１〜ｑ）のクラブヘッドのパンチマークの面積Ｓｉとするとき
Ｓ１＜Ｓｍ  かつ
Ｓｍ＞Ｓｑ  かつ
ｉ＝１とｉ＝ｍ（又はｍ１）との間では  Ｓｉ≦Ｓ（ｉ＋１）  かつ
ｉ＝ｍ（又はｍ２）とｉ＝ｑとの間では  Ｓｉ≧Ｓ（ｉ＋１）
ｂ３）ｉ番目（ｉ＝１〜ｑ）のクラブヘッドの隣り合うパンチマークの間隔をｋｉとするとき
ｋ１＞ｋｍ  かつ
ｋｍ＜ｋｑ  かつ
ｉ＝１とｉ＝ｍ（又はｍ１）との間では  ｋｉ≧ｋ（ｉ＋１）  かつ
ｉ＝ｍ（又はｍ２）とｉ＝ｑとの間では  ｋｉ≦ｋ（ｉ＋１）
【請求項４】
ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たし、
0003734208.tif 000013
しかも前記アイアンゴルフクラブセットの各ゴルフクラブは、クラブヘッドのフェース面の十点平均粗さＲが以下の条件ｃ１を充足するとともに、
高摩擦フェース面のゴルフクラブのフェース面の十点平均粗さを２０μｍ以上、低番手、高番手のゴルフクラブのフェース面の十点平均粗さを１０μｍ以下としたことを特徴とするアイアンゴルフクラブセット。
ｃ１）ｉ番目（ｉ＝１〜ｑ）のクラブヘッドのフェース面の十点平均粗さをＲｉとするとき
Ｒ１＜Ｒｍ  かつ
Ｒｍ＞Ｒｑ  かつ
ｉ＝１とｉ＝ｍ（又はｍ１）との間では  Ｒｉ≦Ｒ（ｉ＋１）  かつ
ｉ＝ｍ（又はｍ２）とｉ＝ｑとの間では  Ｒｉ≧Ｒ（ｉ＋１）
【発明の詳細な説明】
【０００１】
【発明の属する技術分野】
本発明は、クラブヘッドのフェース面の表面状態をコントロールすることにより、とりわけ全番手を通して初級者ゴルファなどの飛距離が増大するよう各番手に応じて打球のスピン性能を改善したアイアンゴルフクラブセットおよびアイアンゴルフクラブヘッドセットに関する。
【０００２】
【従来の技術】
女性ないし初級者ゴルファなどは、一般的にクラブのヘッドスピードが遅く、特にロフト角が小さいロングアイアンなどでは打球に関して十分な打ち出し角度が得られない。したがって、このような番手では打球がすぐに落下し、いわゆるキャリー不足によって飛距離をロスする。上述のようなレベルのゴルファがロングアイアンで飛距離を増大させるためには、打撃されたボールにある程度バックスピン量を増大させ、キャリーを増すためのボールへの揚力を補ってやることが重要である。
【０００３】
他方、これらの技術レベルのゴルファであっても、例えばロフト角が大きいショートアイアンでボールを打撃した場合には、そのロフト角に応じてボールの打ち出し角度はある程度大きくできる。したがって、ショ−トアイアンで、ボールの飛距離を増大させるためには、逆にバックスピン量を減らしていわゆる吹け上がりを防ぐことが重要となってくる。
【０００４】
このようなボールのバックスピン量は、インパクト時にボールが接触するゴルフクラブのフェース面の摩擦係数に大きく左右され、従来、打撃されたボールのバックスピン量をコントロールするアイアンゴルフクラブセットとして、例えば特開昭６１−２７２０６７号公報、特開平２−２２８９８０号公報、特開平２−２２８９８１号公報、特開平９−１９２２７４号公報などが提案されている。
【０００５】
これらの提案では、クラブヘッドのフェース面に形成される溝やパンチマークなどの深さ、幅、大きさ、形状、配設間隔、さらにはフェース面の表面粗さなどをゴルフクラブの番手に応じて変化させることが示唆されている。例えば、これらの提案には、図７に示す曲線Ｌ１のように、例えばロフト角が小さいロングアイアンほどフェース面の摩擦係数を小さく設定し、逆にロフト角が大きいショートアイアンほどフェース面の摩擦係数を大きく設定することが示されている。
【０００６】
このようにフェース面の摩擦係数をコントロールすると、ロングアイアンでは相対的に低バックスピンとなり上級者などではキャリーが増大し、またショートアイアンではバックスピン量が多くなってボールが地面に落下してからの距離であるランが少なくなりコントロール性能が向上すると説明されている。
【０００７】
また特開昭６１−２７２０６７号公報では、曲線Ｌ２に示すようにショートアイアンほどフェース面の摩擦係数を小さくして、ボールが高く上がりすぎるのを抑制し、またロングアイアンではバックスピン量を増大させてコントロール性を向上させることも開示している。
【０００８】
【発明が解決しようとする課題】
しかしながら、本発明者らの種々の実験の結果、高番手のアイアンゴルフクラブについては、フェース面の摩擦係数を大きくしていくと、打球のバックスピン量は確かに増大していくが、驚いたことに低番手のアイアンゴルフクラブではフェース面の摩擦係数を小さくしていくと、従来の予想に反してボールのバックスピン量が僅かながら増加する傾向があることが判明した。
【０００９】
図８にはこの実験結果のうちクラブヘッドのフェース面の表面状態と打球のバックスピン量との関係を示してる。また図９〜１２には、フェース面の表面状態と打球の打ち出し角との関係を示している。
【００１０】
なお実験では、アイアンゴルフクラブセット中から、３番アイアン（ロフト角２１°）、５番アイアン（ロフト角２９°）、７番アイアン（ロフト角３７°）、サンドウエッジ（ロフト角５６°）の４本のクラブを使用し、同じボール（２ピースボール）を同じ条件でスイングロボットを用いて試打を行った。また各アイアンのフェース面は、いずれもチタンからなるが、溝がなくかつ平滑な表面を有するもの（最も摩擦係数が小さいもの）、溝がなくかつ荒い表面を有するもの、溝がありかつ荒い表面を有するもの（最も摩擦係数が大きいもの）の３段階の表面状態で比較を行った。
【００１１】
これらの実験の結果、ロフト角が相対的に小さい３番、５番および７番アイアンでは、従来の予想とは逆にフェース面の摩擦係数が大きいほど、相対的に打球のバックスピン量が少なく、かつ打ち出し角度が大きくなる傾向が確認された。
【００１２】
このような現象を理論的に完全に解明することは、インパクト時のボールの複雑な変形挙動の詳細な解析がさらに必要となるが、一つの原因としてクラブヘッドのフェース面とボールとのインパクト時に発生するボールのコア部分の内部スピンが影響しているものと一応推察できる。
【００１３】
図１３（ａ）〜（ｄ）には、ボールのインパクトの状態を時系列的に示している。また図１４はボールＢのコア部分Ｂ１（位置Ｐ１）とカバーＢ２（位置Ｐ２）との間のせん断力と、インパクトからの経過時間との関係を示すグラフである。
【００１４】
図１３（ａ）に示すように、インパクトされたボールＢは、変形してフェース面３に比較的広範囲で密着する。このときボールＢは、フェース面３から、該フェース面３に沿った方向の摩擦力Ｍと、フェース面３からの垂直な力とを受け、従来ではこの摩擦力Ｍのみに着目し、摩擦力Ｍが大きいほどボールＢのバックスピン量が増大すると考えられていた。
【００１５】
発明者らは、ボールＢのインパクト中の過程をさらに詳細に調べたところボールＢのカバーＢ２は、該カバーＢ２を摩擦力方向に引っ張るせん断力により、図１３に示されるボール内部の位置Ｐ１、Ｐ２間を円周方向で相対的に位置ずれさせることを突き止めた（図１３（ｂ））。
【００１６】
このようなコア部分Ｂ１とカバーＢ２の位置ずれは、インパクトされたボールＢの変形が元の状態に復元を開始するにつれて元に戻ろうとする。この復元力により、コア部分Ｂ１とカバーＢ２との間には、前記とは逆方向のせん断力が作用して位置Ｐ１、Ｐ２は、前記位置ずれが無くなった中立位置（図１３（ｃ））をさらに超えた位置でフェース面３から打ち出しされる。
【００１７】
このとき、コア部分Ｂ１には、バックスピンとは逆方向となる順方向の内部的なスピンが残存しており、この内部的なスピンが多いほどボールのバックスピン量が低下することが判明したのである。
【００１８】
また、このような内部スピンの影響は、ロフト角が例えば５５゜以下、とりわけ５０度未満のアイアンゴルフクラブにおいて顕著に現れることが分かった。したがって、このようなゴルフクラブでは、フェース面の摩擦係数を小さくすると前記コア部分Ｂ１の順方向に回転する内部スピンが減少するためにボールのバックスピン量はむしろ増加する。
【００１９】
従って、前記フェース面の摩擦係数を曲線Ｌ２のように変化させるものでは、実際にはロングアイアンなどでボールのバックスピン量が少なくなり、初級者ゴルファなどではより一層のキャリー不足を招来し、飛距離性能を著しく損ねるという問題がある。
【００２０】
本発明は、以上のようなバックスピン量とフェース面の摩擦係数とについての新規な知見を前提とし、各アイアンクラブのフェース面の表面状態を改善することを基本として、とりわけロングアイアンでボールの打ち出しが小さい初級者を対象として、全番手を通してキャリーの増大を期待しうるアイアンゴルフクラブセットおよびアイアンクラブヘッドセットを提供することを目的としている。
【００２１】
【課題を解決するための手段】
本発明のうち請求項１記載の発明は、ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブの番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たすとともに、
前記高摩擦フェース面の摩擦係数を、０．３５以上としたことを特徴とするアイアンゴルフクラブセットである。
0003734208.tif 000002
【００２２】
また請求項１記載の発明は、さらに前記番手の番号をｍとおいた高摩擦フェース面のゴルフクラブは、ロフト角が２４〜５５゜であることを特徴とする。
【００２３】
また請求項２記載の発明は、ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たし、
0003734208.tif 000003
しかも前記アイアンゴルフクラブセットは、クラブヘッドのフェース面に複数本の溝を具えるゴルフクラブからなり、前記溝が以下の４つの条件ａ１、ａ２、ａ３、ａ４の条件を満たすとともに、
前記高摩擦フェース面のゴルフクラブにおいて、前記溝の溝深さＤを０．４〜０．５mm、溝幅Ｗを０．７〜０．９mm、溝４の間隔Ｋを２．１〜３．５mm、溝壁角度θを９０〜１２０度、
最も高番手および低番手のゴルフクラブのフェース面の溝は、高摩擦フェース面のゴルフクラブに形成した前記溝４を基準とすると、溝深さ、溝幅Ｗがともに８０％以下、溝壁角度θ、溝の間隔Ｋがともに１２０％以上としたことを特徴とするアイアンゴルフクラブセットである。
ａ１）ｉ番目（ｉ＝１〜ｑ）のクラブヘッドの溝深さをＤｉとするとき
Ｄ１＜Ｄｍ  かつ
Ｄｍ＞Ｄｑ  かつ
ｉ＝１とｉ＝ｍ（又はｍ１）との間では  Ｄｉ≦Ｄ（ｉ＋１）  かつ
ｉ＝ｍ（又はｍ２）とｉ＝ｑとの間では  Ｄｉ≧Ｄ（ｉ＋１）
ａ２）ｉ番目（ｉ＝１〜ｑ）のクラブヘッドの溝幅をＷｉとするとき
Ｗ１＜Ｗｍ  かつ
Ｗｍ＞Ｗｑ  かつ
ｉ＝１とｉ＝ｍ（又はｍ１）との間では  Ｗｉ≦Ｗ（ｉ＋１）  かつ
ｉ＝ｍ（又はｍ２）とｉ＝ｑとの間では  Ｗｉ≧Ｗ（ｉ＋１）
ａ３）ｉ番目（ｉ＝１〜ｑ）のクラブヘッドの溝と溝との間の間隔をＫｉとするとき
Ｋ１＞Ｋｍ  かつ
Ｋｍ＜Ｋｑ  かつ
ｉ＝１とｉ＝ｍ（又はｍ１）との間では  Ｋｉ≧Ｋ（ｉ＋１）  かつ
ｉ＝ｍ（又はｍ２）とｉ＝ｑとの間では  Ｋｉ≦Ｋ（ｉ＋１）
ａ４）ｉ番目（ｉ＝１〜ｑ）のクラブヘッドのフエース面と溝の溝壁とが挟む角度をθｉとするとき
θ１＞θｍ  かつ
θｍ＜θｑ  かつ
ｉ＝１とｉ＝ｍ（又はｍ１）との間では  θｉ≧θ（ｉ＋１）  かつ
ｉ＝ｍ（又はｍ２）とｉ＝ｑとの間では  θｉ≦θ（ｉ＋１）
【００２４】
また請求項記載の発明は、ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たすとともに、
0003734208.tif 000004
前記アイアンゴルフクラブセットは、クラブヘッドのフェース面に複数個のパンチマークを具えるゴルフクラブからなり、
しかも前記パンチマークが以下の３つの条件ｂ１、ｂ２、ｂ３の条件を満たすとともに、
しかも高摩擦フェース面のゴルフクラブにおいて、フェース面３に設けられるパンチマーク５の深さｄを０．５〜１．０mm、パンチマークの面積Ｓを、２．０〜２．８mm2 、隣り合うパンチマークの間隔ｋを、４．３〜６．０mmとするとともに、
最も高番手および低番手のゴルフクラブに形成されるパンチマークは、前記高摩擦フェース面のゴルフクラブに形成したパンチマークを基準とすると、その深さｄ、面積Ｓがともに８０％以下、パンチマークの間隔Ｋを１２０％以上としたことを特徴とするアイアンゴルフクラブセットである。
ｂ１）ｉ番目（ｉ＝１〜ｑ）のクラブヘッドのパンチマークの深さをｄｉとするとき
ｄ１＜ｄｍ  かつ
ｄｍ＞ｄｑ  かつ
ｉ＝１とｉ＝ｍ（又はｍ１）との間では  ｄｉ≦ｄ（ｉ＋１）  かつ
ｉ＝ｍ（又はｍ２）とｉ＝ｑとの間では  ｄｉ≧ｄ（ｉ＋１）
ｂ２）ｉ番目（ｉ＝１〜ｑ）のクラブヘッドのパンチマークの面積Ｓｉとするとき
Ｓ１＜Ｓｍ  かつ
Ｓｍ＞Ｓｑ  かつ
ｉ＝１とｉ＝ｍ（又はｍ１）との間では  Ｓｉ≦Ｓ（ｉ＋１）  かつ
ｉ＝ｍ（又はｍ２）とｉ＝ｑとの間では  Ｓｉ≧Ｓ（ｉ＋１）
ｂ３）ｉ番目（ｉ＝１〜ｑ）のクラブヘッドの隣り合うパンチマークの間隔をｋｉとするとき
ｋ１＞ｋｍ  かつ
ｋｍ＜ｋｑ  かつ
ｉ＝１とｉ＝ｍ（又はｍ１）との間では  ｋｉ≧ｋ（ｉ＋１）  かつ
ｉ＝ｍ（又はｍ２）とｉ＝ｑとの間では  ｋｉ≦ｋ（ｉ＋１）
【００２５】
ロフト角が最小である最も低番手（ｉ＝１）のゴルフクラブから、ロフト角が最大である最も高番手（ｉ＝ｑ）のゴルフクラブまで３本以上の番手（ｉ＝１〜ｑ）のゴルフクラブをセットとしたアイアンゴルフクラブセットであって、
該アイアンゴルフクラブセットは、クラブヘッドのフェース面の摩擦係数が最も大きい高摩擦フェース面を有するゴルフクラブを１本又は番手を連続させて２本以上含むとともに、
この高摩擦フェース面のゴルフクラブのロフト角を２４°〜５５゜としかつ番手をｍ（高摩擦フェース面のゴルフクラブが複数かつ奇数本あるとき、その中間の番手の番号をｍとおく。また、高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値を特定するときは、この２本の平均値を用いることとし、便宜的に符号ｍを付して示す）とするとき、
前記高摩擦フェース面のゴルフクラブの番手ｍ（又はｍ１、ｍ２）が、式（１）を満たし、かつｉ番目（ｉ＝１〜ｑ）のクラブヘッドのフェース面の摩擦係数をμｉとするとき式（２）の要件を満たし、
0003734208.tif 000005
【００２６】
しかも請求項４に係る発明は、前記アイアンゴルフクラブセットの各ゴルフクラブは、クラブヘッドのフェース面の十点平均粗さＲが以下の条件ｃ１を充足するとともに、
高摩擦フェース面のゴルフクラブのフェース面の十点平均粗さを２０μｍ以上、低番手、高番手のゴルフクラブのフェース面の十点平均粗さを１０μｍ以下としたことを特徴とするアイアンゴルフクラブセットである。
ｃ１）ｉ番目（ｉ＝１〜ｑ）のクラブヘッドのフェース面の十点平均粗さをＲｉとするとき
Ｒ１＜Ｒｍ かつ
Ｒｍ＞Ｒｑ かつ
ｉ＝１とｉ＝ｍ（又はｍ１）との間では Ｒｉ≦Ｒ（ｉ＋１） かつ
ｉ＝ｍ（又はｍ２）とｉ＝ｑとの間では Ｒｉ≧Ｒ（ｉ＋１）
【００２７】
本明細書において、クラブヘッドのロフト角は、ライ角を規格値にあわせ、シャフト（ヘッドセットの場合にはホーゼル）を地面に対して垂直に固定し、プロトラクタなどの角度計で地面とフェース面との角度βを測定し、該角度β（図１に示す）から９０゜を引くことにより求めるいわゆるリアルロフト角として求める。
【００２８】
またフェース面の摩擦係数は、図１５に示すように、基台ａに対して滑らかに走行可能な移動台ｂに、市販の１ピースゴルフボールｃを固定するとともに、このボールｃに縦荷重４００ｋｇｆでフェース面と同じ材質かつ同じ表面状態にした被測定板ｄを配した押圧部ｆを押し当て、前記移動台に５０（mm／分）の横変位を与えてボールと被測定物とを滑らせるとともに、前記縦荷重とロードセルｇより測定される横荷重との関係より静止摩擦係数μを求めるものとする。なお本例では「３０ｔアムスラー試験機」を使用して測定した。
【００２９】
またフェース面の溝幅は、Ｒ＆Ａの内規「３０度測定法」に基づき測定するものとし、クラブヘッドのフェース面に溝が設けられていない場合には、溝幅、溝深さはともに０、溝の間隔は無限大、溝壁角度は１８０度とする。同様にフェース面にパンチマークが設けられていないクラブヘッドの場合には、パンチマークの深さ、面積はともに０とし、パンチマークの間隔は無限大とする。
【００３０】
さらにフェース面の十点平均粗さは、ＪＩＳ  Ｂ０６０１の第５項の「十点平均粗さ（Ｒｚ）の定義及び表示」に従って測定するものとし、本例では表面形状解析装置ＳＡＳ−２０１０（東京精密社製）を使用して測定した。
【００３１】
【発明の実施の形態】
以下、本発明の実施の一形態をアイアンゴルフクラブセットを例にとり図面に基づき説明する。図１に示すように、本実施形態のアイアンゴルフクラブセット１は、ロフト角αが最小であり最も低番手（ｉ＝１）のゴルフヘッド２ａから、ロフト角αが最大である最も高番手（ｉ＝ｑ）のクラブヘッドまで３本以上の番手（ｉ＝１〜ｑ）をセットとしたものを例示している。なお、シャフトＳが未だ装着されていないヘッドＨの単体からなるアイアンクラブヘッドセットであってもかまわない。
【００３２】
このようなアイアンゴルフクラブセット１は、例えば番手数が奇数又は偶数のみからなるハーフセットや、３番アイアン〜９番アイアンまでの７本セット（ｉ＝１〜７）、 さらには、これらにドライビングアイアン、２番アイアン、ピッチングウエッジ、アプローチウエッジ、サンドウエッジ、ロブウエッジなどの１ないし複数本を加えたセットとすることができる。そして、セットの総本数は少なくとも３本以上、好ましくは５本以上、より好ましくは７本以上であってさらに好ましくは７〜１０本で構成されうる。
【００３３】
図１に示す実施形態では、３番アイアン、５番アイアン、７番アイアン、９番アイアン、１１番アイアン（サンドウエッジ）のゴルフクラブ２ａ〜２ｅからなるセットの総本数が５本（ｉ＝１〜５）のものを例示している。なお前記符号「ｉ」は、各ゴルフクラブ２の番手を特定するために低番手のゴルフクラブ２から順に付される自然数の番号であって、実際のクラブの番手数（例えば５番アイアンの「５」など）を表示するものとは異なる。また図の下方に各ロフト角αを表示している。
【００３４】
またアイアンゴルフクラブセット１においては、例えば最もロフト角が小さいもので１０〜２５度、最もロフト角が大きいもので５６〜６０度程度とするのが好ましい。またクラブヘッドＨ（以下、単にヘッドＨということがる。）は、ステンレス、チタン、チタン合金、あるいはこれらの２種以上を組み合わせた複合材料など種々の材料で構成でき、本例ではステンレス材からなるヘッド本体に、フェース面３として純チタンからなるフェースプレートを装着したものを例示している。なおシャフトＳは慣例に従い例えばロフト角の増大に伴って徐々に短くしうる。
【００３５】
またアイアンゴルフクラブセットは、クラブヘッドＨのフェース面３の摩擦係数が最も大きい高摩擦フェース面を具えるゴルフクラブを１本又は番手を連続させて２本以上含んでる。したがって、前記高摩擦フェース面のゴルフクラブが、複数本であっても、例えば番手の番号で１、３、５の如く非連続に含まれるゴルフクラブセットは本発明の対象外となる。
【００３６】
さらに本実施形態では、この高摩擦フェース面のゴルフクラブの番手をｍとおくが、高摩擦フェース面のゴルフクラブが複数かつ奇数本あるとき、その中間の番手の番号をｍとし、また高摩擦フェース面のゴルフクラブが偶数本あるとき、中間下の番手の番号をｍ１、中間上の番手の番号をｍ２とし、高摩擦フェース面のゴルフクラブのクラブヘッドにおける各種の値（例えばフェース面に設けられた溝の寸法など）を特定するときは、この２本の平均値を用いることとし、便宜的に符号ｍを付して示す。
【００３７】
また本発明のゴルフクラブヘッドセット１は、前記高摩擦フェース面のゴルフクラブの番手ｍ（又はｍ１、ｍ２）が、
１＜ｍ（又はｍ１、ｍ２）＜ｑ
の条件を満たす。つまり、高摩擦フェース面のゴルフクラブの番手ｍ（又はｍ１、ｍ２）は、１より大きくかつｑ（本例では５）よりも小さいものとして設定される。
【００３８】
また本発明では、各ゴルフクラブ２のヘッドＨのフェース面３の摩擦係数が以下の条件を満たすことを特徴の一つとしている。
ｉ番目（ｉ＝１〜ｑ）のクラブヘッドＨのフェース面３の摩擦係数をμｉとするとき
μ１＜μｍ  かつ
μｍ＞μｑ  かつ
ｉ＝１とｉ＝ｍ（又はｍ１）との間では  μｉ≦μ（ｉ＋１）  かつ
ｉ＝ｍ（又はｍ２）とｉ＝ｑとの間では  μｉ≧μ（ｉ＋１）
【００３９】
このように、アイアンゴルフクラブセット１の各ゴルフクラブ２のフェース面３の摩擦係数を設定することにより、最も低番手および最も高番手のゴルフクラブの２本を除いた番手の中に最もフェース面３の摩擦係数が大きいゴルフクラブが存在し、かつ低番手及び高番手のゴルフクラブでは、これよりもフェース面３の摩擦係数が相対的に小さく設定され、また好ましくは低番手および高番手に向かうにつれてフェース面の摩擦係数が小さくなるよう設定されうる。
【００４０】
したがって、低番手のゴルフクラブ２ａでは、前記新たな知見に基づき、ボールのバックスピン量を増加させて揚力を補うことにより、打ち出し角度が低い初級者ゴルファにとってキャリー増大効果が得られ、ひいては飛距離を向上しうる。また高番手のゴルフクラブ２ｅではフェース面の低摩擦によりボールのバックスピン量が抑制されるため、吹け上がりを防いで同様にキャリーを増し飛距離を向上しうる。
【００４１】
さらに、フェース面の摩擦係数が最も大きく設定された高摩擦フェース面のゴルフクラブは、例えばそのゴルフクラブのロフト角が２４〜５５゜、より好ましくは２４〜５０゜、さらに好ましくは２６〜５０゜、さらに好ましくは２６〜４８゜であるのが好ましい。このような場合、初級者でも比較的ボールの打ち出し角度を比較的大きくしうるいわゆるミドルアイアンが高摩擦フェース面を具える傾向が強く、前記新規な知見に基づきバックスピン量が抑制されることとなるため吹け上がりが防止できキャリーの増大効果を期待しうる。
【００４２】
このように、本実施形態では、初級者ゴルファを対象として、アイアンゴルフクラブセットの全番手を通してキャリーを増大させ、飛距離性能を向上させることが可能になる。
【００４３】
図２には、この実施形態の一例を示し、（Ａ）、（Ｂ）は縦軸にフェース面の摩擦係数μ（上側が大）を、横軸には前記クラブセットの番手の番号ｉをとったグラフを示している。図２（Ａ）の曲線Ｌ３では、番手２、３、４が高摩擦フェース面のゴルフクラブとなるが、各種の比較を行う高摩擦フェース面のゴルフクラブの番手の番号ｍは、それらの中間をなす「３」となる。このセットでは、クラブセット内でフェース面の摩擦係数が２種類設定されたものを示している。
【００４４】
また図２（Ａ）の曲線Ｌ４では、セットの中間に位置する番手３が高摩擦フェース面のゴルフクラブとなる。このセットでは、クラブセット内でフェース面の摩擦係数が３種類で連続的に変化するものを示しており、高番手および低番手に向かうにつれてフェース面の摩擦係数が徐々に小さくなっている。すなわち、このアイアンゴルフクラブセットは、下記の好ましい関係を満たしている。
μ１＜μｍ  かつ
μｍ＞μｑ  かつ
ｉ＝１とｉ＝ｍ（又はｍ１）との間では  μｉ＜μ（ｉ＋１）  かつ
ｉ＝ｍ（又はｍ２）とｉ＝ｑとの間では  μｉ＞μ（ｉ＋１）
【００４５】
また図２（Ｂ）の曲線Ｌ５、Ｌ６では、高摩擦フェース面のゴルフクラブの番手が「４」又は「２」となっている。このように、高摩擦フェース面のゴルフクラブの番手がゴルフクラブセットの中間に位置しなくても良い。特に曲線Ｌ５の如く、フェース面の摩擦係数をコントロールした場合には、例えば初級者の中でも特にボールの打ち出し角度が小さいレベルのゴルファのキャリー増大に好適である。逆に曲線Ｌ６の如く、フェース面の摩擦係数をコントロールした場合には、例えば初級者の中でもボールの打ち出し角度が大きいレベルのゴルファのキャリー増大に好適である。
【００４６】
なお、セット内で最大となるフェース面の摩擦係数は、例えば０．３５以上とする。より好ましくは０．４０以上、さらに好ましくは０．４５以上とするのが特に好ましい。
【００４７】
このようにフェース面３の摩擦係数を変化させる方法としては、例えばフェース面３に形成される溝、パンチマーク、表面粗さ、メッキ処理などに変化を与えることなどが挙げられ、以下順に説明する。
【００４８】
（第１実施形態）
この例では、図３に示すように、フェース面３に複数本の溝４を具える１以上のゴルフクラブ２を具え、本例では全てのゴルフクラブのヘッドＨに溝４を設けたものを例示している。このような溝４の断面を拡大して図４に示すが、溝４の深さＤを大きくするほど、また溝幅Ｗを大きくするほど、さらには溝と溝との間の間隔（同じ側の溝壁縁間の距離）を小さくするほど、またフェース面３と溝４の溝壁４ａとが挟む角度θを小さくするほど、フェース面３の摩擦係数を大きくしうる。
【００４９】
したがって、クラブセット１において上述のように摩擦係数μを変化させるためには、前記溝４が以下の４つの条件ａ１、ａ２、ａ３、ａ４の条件を満たすことが好ましい。なお高摩擦フェース面のゴルフクラブの番手の番号ｍなどは前記した通りである。
【００５０】
ａ１）ｉ番目（ｉ＝１〜ｑ）のクラブヘッドＨの溝深さをＤｉとするとき
Ｄ１＜Ｄｍ  かつ
Ｄｍ＞Ｄｑ  かつ
ｉ＝１とｉ＝ｍ（又はｍ１）との間では  Ｄｉ≦Ｄ（ｉ＋１）  かつ
ｉ＝ｍ（又はｍ２）とｉ＝ｑとの間では  Ｄｉ≧Ｄ（ｉ＋１）
ａ２）ｉ番目（ｉ＝１〜ｑ）のクラブヘッドＨの溝幅をＷｉとするとき
Ｗ１＜Ｗｍ  かつ
Ｗｍ＞Ｗｑ  かつ
ｉ＝１とｉ＝ｍ（又はｍ１）との間では  Ｗｉ≦Ｗ（ｉ＋１）  かつ
ｉ＝ｍ（又はｍ２）とｉ＝ｑとの間では  Ｗｉ≧Ｗ（ｉ＋１）
ａ３）ｉ番目（ｉ＝１〜ｑ）のクラブヘッドＨの溝と溝との間の間隔をＫｉとするとき
Ｋ１＞Ｋｍ  かつ
Ｋｍ＜Ｋｑ  かつ
ｉ＝１とｉ＝ｍ（又はｍ１）との間では  Ｋｉ≧Ｋ（ｉ＋１）  かつ
ｉ＝ｍ（又はｍ２）とｉ＝ｑとの間では  Ｋｉ≦Ｋ（ｉ＋１）
ａ４）ｉ番目（ｉ＝１〜ｑ）のクラブヘッドＨのフエース面と溝の溝壁とが挟む角度をθｉとするとき
θ１＞θｍ  かつ
θｍ＜θｑ  かつ
ｉ＝１とｉ＝ｍ（又はｍ１）との間では  θｉ≧θ（ｉ＋１）  かつ
ｉ＝ｍ（又はｍ２）とｉ＝ｑとの間では  θｉ≦θ（ｉ＋１）
【００５１】
そして、本実施形態のアイアンゴルフクラブセット１では、このような条件ａ１〜ａ４の少なくとも１つ、好ましくは２以上、より好ましくは３以上、さらに好ましくは全てを満たすことが最も望ましい。
【００５２】
なお高摩擦フェース面のゴルフクラブにおいて、例えば前記溝４の溝深さＤは０．４〜０．５mm、溝幅Ｗは０．７〜０．９mm、溝４の間隔Ｋを２．１〜３．５mm、溝壁角度θを９０〜１２０度とする。
【００５３】
前記溝深さＤが０．４mm未満、溝幅Ｗが０．７mm未満、溝の間隔Ｋが３．５mmよりも大、又は溝壁角度θが１２０度を超えるときなどでは、フェース面３の摩擦係数の増大効果が相対的に低下する傾向がある。逆に溝深さＤが０．５mmよりも大、溝幅Ｗが０．９mmよりも大、又は溝壁角度θが９０度未満のとき、ゴルフルールに適合しなくなり好ましくない。
【００５４】
なお、一般に雨天時などウェット状態でゴルフクラブを使用する際には打撃されたボールのバックスピン量が相対的に低下しやすいため、またセット中の全てのクラブに溝４があると購買者に安心感を与えるため、セット中の全てのクラブのフェース面３に溝４を設けるのが望ましい。
【００５５】
このような場合、最も高番手および低番手のゴルフクラブのフェース面３の溝４は、例えば高摩擦フェース面のゴルフクラブに形成した前記溝４を基準とすると、溝深さ、溝幅Ｗがともに８０％以下、溝壁角度θ、溝の間隔Ｋがともに１２０％以上とする。なおこれらの溝４は、ゴルフルールに従いクラブのフェース面および溝の長さの全体にわたって同じ断面形状に設定されかつ左右対称の溝壁４ａにて形成される。
【００５６】
またこの溝４に関して、溝深さＤについてのＤ１＞Ｄｑ、溝幅ＷについてのＷ１＞Ｗｑ、溝間間隔ＫについてのＫ１＞Ｋｑ、溝壁角度θについてのθ１＞θｑの少なくとも１つを充足することも好ましく、さらには不等号を逆とすることでも良い。
【００５７】
（第２実施形態）
次に、フェース面３の摩擦係数を変える手法として該フェース面３にパンチマーク５を設けたものについて説明する。パンチマーク５とは、図５に示すようにクラブヘッド２のフェース面３に設けられた円ないし楕円形状の小孔であり、このパンチマーク５の深さｄが大きいほど、また面積Ｓ（表面積）が大きいほど、また隣り合うパンチマーク５、５の間隔ｋが小さいほどフェース面３の摩擦係数を大きくすることができる。
【００５８】
そして前記アイアンゴルフクラブセットは、クラブヘッドのフェース面に複数個のパンチマーク５を具える１以上のゴルフクラブ２を具え、本例では全てのゴルフクラブのヘッドＨにパンチマーク５を具えたものを例示しており、このパンチマーク５が以下の３つの条件ｂ１、ｂ２、ｂ３の条件を満たすものを示している。
【００５９】
ｂ１）ｉ番目（ｉ＝１〜ｑ）のクラブヘッドＨのパンチマークの深さをｄｉとするとき
ｄ１＜ｄｍ  かつ
ｄｍ＞ｄｑ  かつ
ｉ＝１とｉ＝ｍ（又はｍ１）との間では  ｄｉ≦ｄ（ｉ＋１）  かつ
ｉ＝ｍ（又はｍ２）とｉ＝ｑとの間では  ｄｉ≧ｄ（ｉ＋１）
ｂ２）ｉ番目（ｉ＝１〜ｑ）のクラブヘッドＨのパンチマークの面積Ｓｉとするとき
Ｓ１＜Ｓｍ  かつ
Ｓｍ＞Ｓｑ  かつ
ｉ＝１とｉ＝ｍ（又はｍ１）との間では  Ｓｉ≦Ｓ（ｉ＋１）  かつ
ｉ＝ｍ（又はｍ２）とｉ＝ｑとの間では  Ｓｉ≧Ｓ（ｉ＋１）
ｂ３）ｉ番目（ｉ＝１〜ｑ）のクラブヘッドＨの隣り合うパンチマークの間隔をｋｉとするとき
ｋ１＞ｋｍ  かつ
ｋｍ＜ｋｑ  かつ
ｉ＝１とｉ＝ｍ（又はｍ１）との間では  ｋｉ≧ｋ（ｉ＋１）  かつ
ｉ＝ｍ（又はｍ２）とｉ＝ｑとの間では  ｋｉ≦ｋ（ｉ＋１）
【００６０】
このような実施例においては、前記条件ｂ１〜ｂ３の条件を満たすことが望ましい。
【００６１】
なお例えば高摩擦フェース面のゴルフクラブにおいて、例えばフェース面３に設けられるパンチマーク５の深さｄは０．５〜１．０mm、パンチマークの面積Ｓは、２．０〜２．８mm2 、隣り合うパンチマークの間隔ｋは、４．３〜６．０mmとする。
【００６２】
前記パンチマークの深さｄが０．５mm未満、パンチマークの面積Ｓが２．０mm2 未満、又は隣り合うパンチマークの間隔ｋは、６．０mmよりも大のときには、フェース面３の摩擦係数の増大効果が相対的に低下する傾向がある。逆にパンチマークの深さｄが１．０mmよりも大、パンチマークの間隔ｋが４．３mm未満であると、ゴルフルールに適合しなくなり好ましくない。
【００６３】
またセット中の全てのクラブにパンチマーク５を設ける場合、最も高番手および低番手のゴルフクラブに形成されるパンチマーク５は、例えば前記高摩擦フェース面のゴルフクラブに形成したパンチマーク５を基準とすると、その深さｄ、面積Ｓがともに８０％以下、パンチマークの間隔Ｋが１２０％以上とする。
【００６４】
（第３実施形態）
フェース面３の摩擦係数を変える他の手法として、図６に示すように、例えばサンドブラスト処理などにより微細な凹凸６をフェース面３に施すことが挙げられる。このようなフェース面３の摩擦係数は、表面粗さ、例えば十点平均粗さＲに比例する。そこで本例ではアイアンゴルフクラブセットの各ゴルフクラブは、クラブヘッドのフェース面の十点平均粗さＲが以下の条件ｃ１を満たす。
【００６５】
ｃ１）ｉ番目（ｉ＝１〜ｑ）のクラブヘッドのフェース面の十点平均粗さをＲｉとするとき
Ｒ１＜Ｒｍ  かつ
Ｒｍ＞Ｒｑ  かつ
ｉ＝１とｉ＝ｍ（又はｍ１）との間では  Ｒｉ≦Ｒ（ｉ＋１）  かつ
ｉ＝ｍ（又はｍ２）とｉ＝ｑとの間では  Ｒｉ≧Ｒ（ｉ＋１）
【００６６】
なお高摩擦フェース面のゴルフクラブにおいて、フェース面３の十点平均粗さが例えば２０μｍ以上とする。より好ましくは３０μｍ以上、さらに好ましくは４０μｍ以上とするのが望ましい。また低番手、高番手のゴルフクラブでは、フェース面の十点平均粗さが１０μｍ以下とする。そして、このような粗さの変化は、例えばブラスト粒子の粒径を変化させることによって容易になしうる。
【００６７】
なお、上述した各条件、すなわち前記溝４、パンチマーク５、フェース面の十点平均粗さを適宜組み合わせて用いても良い。
【００６８】
以上好ましい実施形態について詳述したが、本発明は、例えばフェース面３のメッキ処理を施したものと、それを施さないものなどにより摩擦係数μを変えるようにしてもよく、種々の態様に変形しうる。
【００６９】
【実施例】
（第１実施例）
フェース面に溝を設けたゴルフクラブを含む総本数６本のアイアンゴルフクラブヘッドセットを表１の仕様にて試作し（実施例１、２、比較例１）、シャフトを装着してアイアンゴルフクラブセットとして製造するとともに、スイングロボットにより試打テストを行い、打ち出しされたボールのバックスピン量、打ち出し角度、キャリー、ラン、トータル飛距離をそれぞれ測定した。なおスイングロボットは、ロフト角１５度のクラブヘッドを有するクラブでヘッドスピード（３６．５ｍ／ｓ）になるよう設定した。クラブヘッドの仕様を表１に、テストの結果を表２に示す。
【００７０】
【表１】
0003734208.tif 000006
【００７１】
【表２】
0003734208.tif 000007
【００７２】
（第２実施例）
フェース面にパンチマークを設けたゴルフクラブを含む総本数６本のアイアンゴルフクラブセットを表３の仕様にて試作し（実施例３、比較例２）、前記の条件で試打テストを行った。クラブヘッドの仕様、テストの結果を表３に示す。
【００７３】
【表３】
0003734208.tif 000008
【００７４】
（第３実施例）
フェース面にサンドプラスト処理を施すことによりその表面粗さを変えたクラブセットを表４の仕様にて試作し（実施例４、比較例３）、前記の条件で試打テストを行った。クラブヘッドの仕様及びテストの結果を表４に示す。
【００７５】
【表４】
0003734208.tif 000009
【００７６】
テストの結果、実施例のアイアンゴルフクラブセットでは、最も低番手のゴルフクラブからロフト角３２゜までのゴルフクラブのフェース面の摩擦係数を小さくしたため、これらのクラブで打ち出しされたボールのバックスピン量が相対的に多くなっており、打ち出し角度が小さくてもキャリーが増大していることが確認できる。またロフト角が４０゜のゴルフクラブでは、フェース面の摩擦係数を大きく設定したことにより、バックスピン量が減少しており、打ち出し角度も十分に確保されていることと相まってキャリーが増大していることが確認できる。さらに最も高番手のゴルフクラブでは、フェース面の摩擦係数を小さくしたため、ボールのバックスピン量が相対的に少なく、吹け上がりが防止されてキャリーが増大していることが確認できる。
【００７７】
【発明の効果】
上述したように、請求項１〜６記載の発明では、初級者ゴルファなどにおいても、最も低番手のゴルフクラブでボールのバックスピンを増し、キャリーを増大する。また最も高番手のゴルフクラブでは、ボールのバックスピンを減じて吹け上がりを防ぎキャリーを増大しうる。さらにフェース面の摩擦係数が最も大きい高摩擦フェース面のゴルフクラブが、最も低番手および最も高番手を除いた番手に設定されるため、例えばミドルアイアンなどでボールのバックスピン量を減じることができ、キャリーの増大を可能としうる。
【００７８】
特に請求項２記載の発明では、高摩擦フェース面のゴルフクラブのロフト角を設定したことにより、全番手を通してより遠くにボールを飛ばすことが可能なアイアンゴルフクラブセット及びアイアンゴルフクラブヘッドセットを提供しうる。
【図面の簡単な説明】
【図１】本実施形態のアイアンゴルフクラブセットの一例を示す側面図である。
【図２】（Ａ）、（Ｂ）は、本実施形態のセットの各番手とフェース面の摩擦係数μとの関係を示すグラフである。
【図３】本実施形態のセットの中から一部のゴルフクラブを取り出して例示する正面図である。
【図４】フェース面の溝と直交するヘッドの断面図である。
【図５】本実施形態のセットの中から一部のゴルフクラブを取り出して例示する正面図である。
【図６】本実施形態のセットの中から一部のゴルフクラブを取り出して例示する正面図である。
【図７】従来のセットの各番手とフェース面の摩擦係数μとの関係を示すグラフである。
【図８】フェース面の表面状態とボールのバックスピン量との関係を示すグラフである。
【図９】３番アイアンのフェース面の表面状態とボールの打ち出し角度との関係を示すグラフである。
【図１０】５番アイアンのフェース面の表面状態とボールの打ち出し角度との関係を示すグラフである。
【図１１】７番アイアンのフェース面の表面状態とボールの打ち出し角度との関係を示すグラフである。
【図１２】ＳＷのフェース面の表面状態とボールの打ち出し角度との関係を示すグラフである。
【図１３】ボールとフェース面のインパクトの過程を説明する断面図である。
【図１４】インパクトからの経過時間とボールのカバーとコア部分との間のせん断力との関係を示すグラフである。
【図１５】フェース面の摩擦係数の測定方法を示す図である。
【符号の説明】
２  クラブヘッド
３  フェース面
４  溝
５  パンチマーク
６  凹凸
Ｓ  シャフト
Ｈ  クラブヘッド
【図１】
0003734208.tif 000014
【図２】
0003734208.tif 000015
【図３】
0003734208.tif 000016
【図４】
0003734208.tif 000017
【図５】
0003734208.tif 000018
【図６】
0003734208.tif 000019
【図７】
0003734208.tif 000020
【図８】
0003734208.tif 000021
【図９】
0003734208.tif 000022
【図１０】
0003734208.tif 000023
【図１１】
0003734208.tif 000024
【図１２】
0003734208.tif 000025
【図１３】
0003734208.tif 000026
【図１４】
0003734208.tif 000027
【図１５】
0003734208.tif 000028